(57)【要約】【課題】本発明は、マットレスの折り畳み状態において、マットレスの折曲箇所に対してストレスが生じず、したがって、へたりや変形が生じない、いつまでも寝心地のよいマットレスを維持できるマットレスカバーを提供することを目的とする。【解決手段】本発明に係るマットレスカバーＡは、三つ折りマットレスＢを覆うカバーであって、マットレス上面を覆うカバー上面部と、カバー上面部から垂下し、マットレス周囲を覆うカバー周囲部１２、１３、・・と、カバー周囲部に連続し、マットレス裏面に回り込むカバー裏面部１５とからなり、前記カバー裏面部には、マットレスを出し入れする開口部１６が設けられ、マットレスが折曲する箇所におけるカバー周囲部端縁１１ａ、１３ａと開口部端縁１６ａとの間の幅方向布地幅ｐが５ｃｍであることを特徴とするものである。【選択図】  図３
2010094434.tif 000002
【特許請求の範囲】
【請求項１】
折り畳むことが可能なマットレスを覆うカバーであって、マットレス上面を覆うカバー上面部と、カバー上面部から垂下し、マットレス周囲を覆うカバー周囲部と、カバー周囲部に連続し、マットレス裏面に回り込むカバー裏面部とからなり、
前記カバー裏面部には、マットレスを出し入れする開口部が設けられ、少なくともマットレスが折曲する箇所におけるカバー周囲部端縁と開口部端縁との間の幅方向布地幅が０〜１０ｃｍである
ことを特徴とするマットレスカバー。
【請求項２】
幅方向布地幅が０〜７ｃｍであることを特徴とする請求項１に記載のマットレスカバー。
【請求項３】
幅方向布地幅が０〜５ｃｍであることを特徴とする請求項１に記載のマットレスカバー。
【請求項４】
三つ折りに折り畳むことが可能なマットレスを覆うカバーであることを特徴とする請求項１〜３のいずれか１項に記載のマットレスカバー。
【発明の詳細な説明】
【技術分野】
【０００１】
本発明は、折り畳み可能なマットレスを覆うためのカバーに関し、特に折り畳み時にマットレスに対してストレスを生じさせないマットレスカバーに関する。
【背景技術】
【０００２】
折り畳み可能なマットレスのカバーについては、下記特許文献１に示すような、マットレスから外れないように工夫したマットレスカバーが提案されている。
【特許文献１】実用新案登録第３１０９４５０号公報
【発明の開示】
【発明が解決しようとする課題】
【０００３】
しかしながら、上記従来のマットレスカバーは、マットレスを容易に三つ折り状態に折り畳むことができるとしているが、実際には、図７に示すように、マットレスを折り畳んだ箇所において、マットレスカバーによりマットレスを収縮させるストレスが掛かった状態となっている。一方、マットレスは、広げた状態においては、本来、平坦で、隣接するマットレス同士の間で段差や開きのない状態が寝心地の点において望ましく、かつ、普通である。ところで、マットレスの使用状態を鑑みるに、睡眠時間を８時間とすると、マットレスを広げている状態が８時間、マットレスを折り畳んでいる状態が１６時間となる。したがって、マットレスの折曲箇所において、毎日、長時間、マットレスが収縮状態にあるため、マットレスのへたりや変形が生じ、マットレスを広げた状態において、この折曲箇所であるマットレスのつなぎ目において開きが生じ、この開きによる違和感が寝心地を悪くし、さらに折曲箇所において段差が生じて寝心地を一層悪いものとしているのが実情である。
【０００４】
そこで、本発明者は、上記した実情に鑑み、マットレスの折り畳み状態において、マットレスの折曲箇所に対してストレスが生じず、したがって、へたりや変形が生じない、いつまでも寝心地のよいマットレスを維持できるマットレスカバーを開発した。
【課題を解決するための手段】
【０００５】
本発明に係るマットレスカバーは、折り畳むことが可能なマットレス、特に三つ折り可能なマットレスを覆うカバーであって、マットレス上面を覆うカバー上面部と、カバー上面部から垂下し、マットレス周囲を覆うカバー周囲部と、カバー周囲部に連続し、マットレス裏面に回り込むカバー裏面部とからなり、前記カバー裏面部には、マットレスを出し入れする開口部が設けられ、少なくともマットレスが折曲する箇所におけるカバー周囲部端縁と開口部端縁との間の幅方向布地幅が０〜１０ｃｍ、好ましくは０〜７ｃｍ、さらに好ましくは０〜５ｃｍであることを特徴とするものである。
【０００６】
上記のように構成することにより、マットレスを折り畳んむ際に、マットレスの折曲箇所においてマットレスカバーが外れてしまうので、折り畳み状態において、従来のマットレスカバーによるマットレスを収縮させるようなストレスが生じない。
【発明の効果】
【０００７】
上記のように本発明に係るマットレスカバーは、マットレスの折り畳み状態において、マットレスを収縮させるようなストレスが生じないので、マットレスの折り畳み状態においてへたりや変形が生じず、いつまでも寝心地のよいマットレスを維持できるマットレスカバーである。
【発明を実施するための最良の形態】
【０００８】
以下、本発明に係るマットレスカバー（以下、単に「カバー」という。）について、添付の図面に基づき詳細に説明する。
【実施例１】
【０００９】
図１は本考案の実施例に係るカバーの立体状態を上面側から見た斜視図であり、図２は本考案の実施例に係るカバーの立体状態を裏面側から見た斜視図であり、図３は本考案の実施例に係るカバーをマットレスに被せた状態を裏面側から見た斜視図であり、図４は本考案の実施例に係るカバーをマットレスに被せた状態において、マットレスを折り畳もうとしている状態を示す斜視図であり、図５は本考案の実施例に係るカバーをマットレスに被せた状態において、マットレスを折り畳んだ状態を上面側から見た斜視図であり、図６は本考案の実施例に係るカバーをマットレスに被せた状態において、マットレスを折り畳んだ状態を裏面側から見た斜視図である。
【００１０】
図１及び図２において、Ａは本実施例に係るカバーであり、三つ折りに折り畳むことが可能なマットレスＢを覆うためのカバーである。該カバーＡは、マットレスＢの上面を覆うカバー上面部１０と、カバー上面部１０から四方の下方に垂下してマットレス周囲を覆うカバー周囲部１１、１２、１３、１４と、カバー周囲部１１、１２、１３、１４に連続し、マットレスＢの裏面に回り込むカバー裏面部１５とから構成される。
【００１１】
前記カバーＡのカバー裏面部１５には、図２及び図３に示すように、マットレスＢを出し入れするための開口部１６が設けられ、少なくともマットレスＢが折曲する箇所Ｂ１、Ｂ２におけるカバー周囲部端縁１１ａ、１３ａと開口部端縁１６ａとの間の幅方向におけるカバーＡの布地幅ｐが５ｃｍと狭く形成されている。なお、この布地幅ｐは、０〜１０ｃｍであればよく、好ましくは０〜７ｃｍ、さらに好ましくは０〜５ｃｍである。
【００１２】
本実施例に係るカバーＡは、上記のように構成されているので、マットレスＢを折り畳んむ際に、図４に示すように、マットレスＢの折曲箇所Ｂ１、Ｂ２のいずれか一方（本実施例においてはＢ１）においてカバーＡが外れてしまう。この作用によって、図５及び図６に示すように、折り畳み状態におけマットレスＢの折曲箇所Ｂ１において、図７に示すような従来のマットレスカバーのようにマットレスを収縮させるようなストレスが生じない。そして、マットレスＢの折曲箇所Ｂ１において、カバーＡが外れることにより、カバー全体が弛むため余裕ができ、マットレスＢの折曲箇所Ｂ２においても、図７に示すような従来のマットレスカバーのようにマットレスを収縮させるようなストレスが生じない。
【００１３】
したがって、本実施例に係るカバーＡは、マットレスＢの折り畳み状態において、マットレスＢを収縮させるようなストレスが生じないので、マットレスＢの折り畳み状態においてへたりや変形が生じず、いつまでも寝心地のよいマットレスＢを維持できる効果がある。
【図面の簡単な説明】
【００１４】
【図１】本考案の実施例に係るカバーの立体状態を上面側から見た斜視である。
【図２】本考案の実施例に係るカバーの立体状態を裏面側から見た斜視図である。
【図３】本考案の実施例に係るカバーをマットレスに被せた状態を裏面側から見た斜視図である。
【図４】本考案の実施例に係るカバーをマットレスに被せた状態において、マットレスを折り畳もうとしている状態を示す斜視図である。
【図５】本考案の実施例に係るカバーをマットレスに被せた状態において、マットレスを折り畳んだ状態を上面側から見た斜視図である。
【図６】本考案の実施例に係るカバーをマットレスに被せた状態において、マットレスを折り畳んだ状態を裏面側から見た斜視図である。
【図７】従来のマットレスカバーをマットレスに掛けた状態において、マットレスを折り畳んだ状態を示す斜視図である。
【符号の説明】
【００１５】
Ａ・・・マットレスカバー
Ｂ・・・マットレス
Ｂ１・・マットレスの折曲箇所
Ｂ２・・マットレスの折曲箇所
ｐ・・・布地幅
１０・・カバー上面部
１１・・カバー周囲部
１１ａ・カバー周囲部端縁
１２・・カバー周囲部
１３・・カバー周囲部
１３ａ・カバー周囲部端縁
１４・・カバー周囲部
１５・・カバー裏面部
１６・・開口部
１６ａ・開口部端縁
【図１】
2010094434.tif 000003
【図２】
2010094434.tif 000004
【図３】
2010094434.tif 000005
【図４】
2010094434.tif 000006
【図５】
2010094434.tif 000007
【図６】
2010094434.tif 000008
【図７】
2010094434.tif 000009